(57)【要約】【課題】電気的な性能の良好な高周波ユニットを提供すること。【解決手段】本発明の高周波ユニットにおいて、端子１４が壁部２とシールド部４によって挟まれ、端子１４よりも枠体１内に位置したシールド部４の存在によって、ワイヤレス機器からの送受信電波が壁部２とシールド部４間に侵入しても、その送受信電波は、枠体１中央部への侵入がシールド部４によって阻止され、従って、ノイズ等の不具合が発生せず、電気的な性能の良好なものが得られる。【選択図】図２
2007242695.tif 000002
【特許請求の範囲】
【請求項１】
配線パターンが設けられ、電子部品が搭載された回路基板と、この回路基板の周囲を囲む壁部を有し、内部に前記回路基板を収納した枠体と、前記回路基板に取り付けられ、前記枠体外に突出する複数の端子とを備え、前記枠体には、前記壁部に繋がり、前記壁部に対向した状態で前記端子よりも前記枠体内に位置するシールド部が設けられ、前記端子が前記シールド部と前記壁部との間に位置したことを特徴とする高周波ユニット。
【請求項２】
前記シールド部は、前記壁部の一端から折り曲げられて、前記回路基板面に平行に延びる第１の折り曲げ部と、この第１の折り曲げ部から折り曲げられて、前記回路基板面に対して垂直な第２の折り曲げ部によって形成されたことを特徴とする請求項１記載の高周波ユニット。
【請求項３】
前記第２の折り曲げ部の端部が前記配線パターンの接地用パターンに接続されたことを特徴とする請求項２記載の高周波ユニット。
【請求項４】
前記第２の折り曲げ部の端部には、係止部が設けられ、この係止部が前記回路基板を貫通して前記回路基板に掛止めされたことを特徴とする請求項２、又は３記載の高周波ユニット。
【請求項５】
前記端子の周囲には、前記配線パターンの接地用パターンを含む接地導体が前記端子を囲むように配置されたことを特徴とする請求項１から４の何れか１項に記載の高周波ユニット。
【請求項６】
前記接地導体が複数の前記端子の周囲に繋がって設けられたことを特徴とする請求項５記載の高周波ユニット。
【請求項７】
前記接地導体は、前記接地用パターンと、この接地用パターンに接続されたゼロオーム抵抗器によって形成されたことを特徴とする請求項６記載の高周波ユニット。
【請求項８】
前記回路基板の外周には、前記枠体に接続された前記接地用パターンが設けられたことを特徴とする請求項５から７の何れか１項に記載の高周波ユニット。
【請求項９】
前記枠体は、前記壁部で囲まれた位置に設けられた開放部を有し、前記端子が前記開放部側から突出すると共に、前記枠体には、前記開放部を覆うカバーが取り付けられたことを特徴とする請求項１から８の何れか１項に記載の高周波ユニット。
【発明の詳細な説明】
【技術分野】
【０００１】
本発明は、ケーブルモデムやＣＡＴＶ等に使用されるデジタルチューナに使用して好適な高周波ユニットに関するものである。
【背景技術】
【０００２】
図５は従来の高周波ユニットの分解斜視図であり、次に、従来の高周波ユニットの構成を図５に基づいて説明すると、金属板からなる枠体５１は、四方を囲むロ字状の壁部５２と、この壁部５２に囲まれた位置に設けられた開放部５３を有する。
【０００３】
回路基板５４は、電気回路を形成するために搭載された電子部品５５と、電気回路に接続された状態で、複数個が直立状態で取り付けられた端子５６を有し、この回路基板５４は、枠体５１内に収納された状態で、枠体５１に取り付けられると共に、回路基板５４が取り付けられた際、端子５６は、開放部５３側から枠体５１外に突出している。
【０００４】
金属板からなる２個のカバー５７，５８は、それぞれ開放部５３を覆うように枠体５１に取り付けられ、一方のカバー５７に設けられた孔５７ａからは、端子５６が突出して、従来の高周波ユニットが形成されている（例えば、特許文献１参照）。
【０００５】
そして、このような構成を有する従来の高周波ユニットは、ここでは図示しないが、端子５６が突出する枠体５１側をセットのマザー基板側に配置し、端子５６がマザー基板側の電気回路に接続されるようになっている。
【特許文献１】特開平９−３３１１７９号公報
【発明の開示】
【発明が解決しようとする課題】
【０００６】
しかし、従来の高周波ユニットにあっては、端子５６が単に開放部５３から突出したものであるため、近傍に携帯電話機等のワイヤレス機器が存在して、送受信電波がカバー５７の孔５７ａから侵入した時、その送受信電波がストレートに枠体５１の中央部に侵入し、ノイズ等の不具合が発生して、電気的な性能が悪くなるという問題がある。
【０００７】
本発明は、このような従来技術の実情に鑑みてなされたもので、その目的は、電気的な性能の良好な高周波ユニットを提供することにある。
【課題を解決するための手段】
【０００８】
上記の目的を達成するために、本発明は、配線パターンが設けられ、電子部品が搭載された回路基板と、この回路基板の周囲を囲む壁部を有し、内部に回路基板を収納した枠体と、回路基板に取り付けられ、枠体外に突出する複数の端子とを備え、枠体には、壁部に繋がり、壁部に対向した状態で端子よりも枠体内に位置するシールド部が設けられ、端子がシールド部と壁部との間に位置したことを特徴としている。
【０００９】
このように構成した本発明は、端子よりも枠体内に位置したシールド部の存在によって、ワイヤレス機器からの送受信電波が壁部とシールド部間に侵入しても、その送受信電波は、枠体中央部への侵入がシールド部によって阻止され、従って、ノイズ等の不具合が発生せず、電気的な性能の良好なものが得られる。
【００１０】
また、本発明は、上記発明において、シールド部は、壁部の一端から折り曲げられて、回路基板面に平行に延びる第１の折り曲げ部と、この第１の折り曲げ部から折り曲げられて、回路基板面に対して垂直な第２の折り曲げ部によって形成されたことを特徴としている。
【００１１】
このように構成した本発明は、シールド部が桟部や枠体内を区画するシールド板を形成する側と同一側にできて、材料の良いものが得られる。
【００１２】
また、本発明は、上記発明において、第２の折り曲げ部の端部が配線パターンの接地用パターンに接続されたことを特徴としている。
【００１３】
このように構成した本発明は、シールド部の接地が確実になり、電気的な性能の一層良好なものが得られる。
【００１４】
また、本発明は、上記発明において、第２の折り曲げ部の端部には、係止部が設けられ、この係止部が回路基板を貫通して回路基板に掛止めされたことを特徴としている。
【００１５】
このように構成した本発明は、係止部の存在によって、第２の折り曲げ部の支持の確実なものが得られる。
【００１６】
また、本発明は、上記発明において、端子の周囲には、配線パターンの接地用パターンを含む接地導体が端子を囲むように配置されたことを特徴としている。
【００１７】
このように構成した本発明は、接地導体の存在によって、送受信電波の枠体中央部への侵入が阻止されて、電気的な性能の一層良好なものが得られる。
【００１８】
また、本発明は、上記発明において、接地導体が複数の端子の周囲に繋がって設けられたことを特徴としている。
【００１９】
このように構成した本発明は、接地導体同士の接地の確実なものが得られ、電気的な性能の一層良好なものが得られる。
【００２０】
また、本発明は、上記発明において、接地導体は、接地用パターンと、この接地用パターンに接続されたゼロオーム抵抗器によって形成されたことを特徴としている。
【００２１】
このように構成した本発明は、ゼロオーム抵抗器の存在によって、端子に接続された配線パターンが中央部に容易に引き回しできるものが得られる。
【００２２】
また、本発明は、上記発明において、回路基板の外周には、枠体に接続された接地用パターンが設けられたことを特徴としている。
【００２３】
このように構成した本発明は、枠体への接地パターンの接地の強固なものが得られる。
【００２４】
また、本発明は、上記発明において、枠体は、壁部で囲まれた位置に設けられた開放部を有し、端子が開放部側から突出すると共に、枠体には、開放部を覆うカバーが取り付けられたことを特徴としている。
【００２５】
このように構成した本発明は、端子がカバーから突出した伏せ型の高周波ユニットにおいても、電気的な性能の良好なものが得られる。
【発明の効果】
【００２６】
本発明は、端子よりも枠体内に位置したシールド部の存在によって、ワイヤレス機器からの送受信電波が壁部とシールド部間に侵入しても、その送受信電波は、枠体中央部への侵入がシールド部によって阻止され、従って、ノイズ等の不具合が発生せず、電気的な性能の良好なものが得られる。
【発明を実施するための最良の形態】
【００２７】
発明の実施の形態について図面を参照して説明すると、図１は本発明の高周波ユニットに係り、一部を切り欠いた下面図、図２は本発明の高周波ユニットに係る要部断面図、図３は本発明の高周波ユニットに係り、一部を切り欠いた上面図、図４は本発明の高周波ユニットに係り、ゼロオーム抵抗器の箇所における拡大断面図である。
【００２８】
次に、本発明の高周波ユニットの構成を図１〜図４に基づいて説明すると、金属板からなる枠体１は、四方を囲むロ字状の壁部２と、この壁部２に囲まれた位置に設けられた開放部３と、壁部２の一端に繋がり、Ｌ字状に枠体１内に折り曲げ形成されたシールド部４と、このシールド部４と同一側に設けられた桟部５と、この桟部５から枠体１内に折り曲げられ、複数の区画室を形成するシールド板６を有する。
【００２９】
また、シールド部４は、壁部２の一端から直角に折り曲げられて、開放部３に沿って延びる第１の折り曲げ部４ａと、この第１の折り曲げ部４ａの一端から直角に折り曲げられて、枠体１内に延びる第２の折り曲げ部４ｂと、一列状態で、第１の折り曲げ部４ａに設けられた孔４ｃと、第２の折り曲げ部４ｂの一端部に設けられたくの字状等の係止部４ｄを有する。
【００３０】
回路基板７には、配線パターン８が設けられ、この配線パターン８は、信号用パターン９と、接地用パターン１０を有すると共に、回路基板７には、所望の電気回路を形成するための電子部品１１が搭載されている。
【００３１】
端子部材１２は、絶縁材からなる保持部１３と、この保持部１３に保持され、一列状態に配置された複数の端子１４を有し、この端子部材１２は、保持部１３が回路基板７に載置され、複数の端子１４が電気回路に接続された状態で、回路基板７に直立状態で取り付けられている。
【００３２】
そして、図３，図４に示すように、接地用パターン１０は、回路基板７の外周部に設けられた環状の第１のパターン１０ａと、端子１４を囲むように第１のパターン１０ａから延びる第２のパターン１０ｂを有し、この第２のパターン１０ｂの切り欠き部１０ｃからは、端子１４に接続された信号用パターン９が引き出されている。
【００３３】
また、ゼロオーム抵抗器１５が端子１４に接続された信号用パターン９を跨ぐように配置されて、このゼロオーム抵抗器１５の上面に設けられた導体１５ａが第２のパターン１０ｂに半田付けされて、第１，第２のパターン１０ａ、１０ｂとゼロオーム抵抗器１５とによって接地導体１６が形成されると共に、この接地導体１６によって、端子１４の外周がシールドされた状態となっている。
【００３４】
この接地導体１６は、端子１４毎、或いは複数の端子１４に対して１個、さらには、複数の接地導体１６同士が繋がって設けても良い。
【００３５】
このような構成を有する回路基板７は、枠体１内に収納された状態で、枠体１に取り付けられ、回路基板７が取り付けられた際、図１，図２に示すように、端子１４は、孔４ｃを通って開放部３側から枠体１外に突出している。
【００３６】
また、回路基板７が取り付けられた際、図２，図３に示すように、シールド部４の第２の折り曲げ部４ｂは、回路基板７面に対して垂直状態となり、端部に設けられた係止部４ｄが回路基板７を貫通して回路基板７に掛止めされた状態、接地用パターン１０である第２のパターン１０ｂに接続されると共に、接地用パターン１０である第１のパターン１０ａは、枠体１の壁部２に接続される。
【００３７】
そして、枠体１外に突出した端子１４は、壁部２と、端子１４よりも枠体１内に位置するシールド部４とによって挟まれた状態になり、孔４ｃから侵入した送受信電波は、シールド部４によって枠体１中央部への侵入が阻止されるようになっている。
【００３８】
なお、シールド部４は、送受信電波等の影響が問題となる端子１４、例えば、高周波信号を入出力する送信用端子やクロック信号用端子等に対応して設けられたものとなっており、また、端子１４は、Ｌ字状に折り曲げられ、シールド部４の第２の折り曲げ部４ｂに対向する壁部２の孔から枠体１外に突出するようにしても良い。
【００３９】
金属板からなる２個のカバー１７，１８は、それぞれ開放部３を覆うように枠体１に取り付けられ、一方のカバー１７に設けられた孔１７ａからは、端子１４が突出して、本発明の高周波ユニットが形成されている。
【００４０】
そして、このような構成を有する本発明の高周波ユニットは、ここでは図示しないが、端子１４が突出する枠体１側をセットのマザー基板側に配置し、端子１４がマザー基板側の電気回路に接続されるようになって、伏せ型の配置が得られるようになっている。
【００４１】
また、Ｌ字状に形成された端子１４が壁部２から突出したもにあっては、壁２側がマザー基板側となって、縦型の高周波ユニットが得られるものである。
【図面の簡単な説明】
【００４２】
【図１】本発明の高周波ユニットに係り、一部を切り欠いた下面図である。
【図２】本発明の高周波ユニットに係る要部断面図である。
【図３】本発明の高周波ユニットに係り、一部を切り欠いた上面図である。
【図４】本発明の高周波ユニットに係り、ゼロオーム抵抗器の箇所における拡大断面図である。
【図５】従来の高周波ユニットの分解斜視図である。
【符号の説明】
【００４３】
１  枠体
２  壁部
３  開放部
４  シールド部
４ａ  第１の折り曲げ部
４ｂ  第２の折り曲げ部
４ｃ  孔
４ｄ  係止部
５  桟部
６  シールド板
７  回路基板
８  配線パターン
９  信号用パターン
１０  接地用パターン
１０ａ  第１のパターン
１０ｂ  第２のパターン
１０ｃ  切り欠き部
１１  電子部品
１２  端子部材
１３  保持部
１４  端子
１５  ゼロオーム抵抗器
１５ａ  導体
１６  接地導体
１７  カバー
１７ａ  孔
１８  カバー
【図１】
2007242695.tif 000003
【図２】
2007242695.tif 000004
【図３】
2007242695.tif 000005
【図４】
2007242695.tif 000006
【図５】
2007242695.tif 000007